【手続補正書】
【提出日】平成30年5月18日(2018.5.18)
【手続補正１】
【補正対象書類名】特許請求の範囲
【補正対象項目名】全文
【補正方法】変更
【補正の内容】
【特許請求の範囲】
【請求項１】
画像形成装置の装置本体に着脱可能な現像装置であって、
現像剤担持体と、
前記現像剤担持体を回転可能に支持する現像枠体と、
前記現像剤担持体の軸線方向において、前記現像枠体の一端部に取り付けられた一端側端部部材であって、前記装置本体に位置決めされる一端側被位置決め部を有する一端側端部部材と、
前記軸線方向において、前記現像枠体の他端部に取り付けられた他端側端部部材であって、前記装置本体に位置決めされる他端側被位置決め部を有する他端側端部部材と、
を有し、
前記一端側端部部材は、前記現像枠体と前記他端側端部部材に対して回転可能であり、
前記他端側端部部材は、前記現像枠体と前記一端側端部部材に対して回転可能であることを特徴とする現像装置。
【請求項２】
前記現像枠体は、
前記一端側端部部材と係合する一端側係合部と、
前記他端側端部部材と係合する他端側係合部と、
を有し、
前記一端側端部部材と前記他端側端部部材は、前記一端側係合部と前記他端側係合部を結ぶ回転中心軸線の周りに回転可能であることを特徴とする請求項１に記載の現像装置。
【請求項３】
前記一端側被位置決め部と前記他端側被位置決め部が前記装置本体に位置決めされた状態で、前記現像剤像担持体は前記回転中心軸線に対して変位可能であることを特徴とする請求項２記載の現像装置。
【請求項４】
前記現像装置は、前記一端側端部部材と前記他端側端部部材が、前記一端側係合部と前記他端側係合部から抜けることを防止する抜け止め部材を有することを特徴とする請求項２または３に記載の現像装置。
【請求項５】
前記一端側被位置決め部は、前記軸線方向に交差する方向に突出する突起であって、
前記他端側被位置決め部は、前記軸線方向に突出する突起であることを特徴とする請求
項１から４のいずれか1項に記載の現像装置。
【請求項６】
前記現像装置が前記装置本体に挿入される挿入方向において、前記他端側端部部材は前記一端側端部部材の下流側に配置されることを特徴とする請求項１から５のいずれか一項に記載の現像装置。
【請求項７】
前記他端側端部部材は、前記装置本体のガイド部にガイドされる他端側被ガイド部を有することを特徴とする請求項６に記載の現像装置。
【請求項８】
前記一端側端部部材は、前記ガイド部にガイドされる一端側被ガイド部を有することを特徴とする請求項７に記載の現像装置。
【請求項９】
前記他端側端部部材は、
前記装置本体の第一のガイド部にガイドされる第一の被ガイド部と、
前記装置本体の第二のガイド部にガイドされる第二の被ガイド部と、
を有することを特徴とする請求項６に記載の現像装置。
【請求項１０】
前記一端側端部部材は、
前記第一のガイド部にガイドされる第三の被ガイド部と、
前記第二のガイド部にガイドされる第四の被ガイド部と、
を有することを特徴とする請求項９に記載の現像装置。
【請求項１１】
前記現像装置は、
前記他端側端部部材の回転を規制する他端側規制部材と、
前記他端側規制部材と係合可能な他端側被規制部と、
を有し、
前記他端側規制部材は、
前記他端側被規制部と係合して前記他端側端部部材の回転が規制される位置と、
前記他端側被規制部との係合が解除され前記他端側端部部材の回転が可能となる位置と、
に移動可能であることを特徴とする請求項６〜１０のいずれか１項に記載の現像装置。
【請求項１２】
前記現像装置は、前記他端側規制部材を付勢する他端側付勢部材を有することを特徴とする請求項１１に記載の現像装置。
【請求項１３】
前記他端側規制部材は、前記現像枠体に設けられ、
前記他端側被規制部は、前記他端側端部部材に設けられることを特徴とする請求項１１または１２に記載の現像装置。
【請求項１４】
前記現像装置は、
前記一端側端部部材の回転を規制する一端側規制部材と、
前記一端側規制部材と係合可能な一端側被規制部と、
を有し、
前記一端側規制部材は、
前記一端側被規制部と係合して前記一端側端部部材の回転が規制される位置と、
前記一端側被規制部との係合が解除され前記一端側端部部材の回転が可能となる位置と、
に移動可能であることを特徴とする請求項６〜１３のいずれか１項に記載の現像装置。
【請求項１５】
前記現像装置は、前記一端側規制部材を付勢する一端側付勢部材を有することを特徴と
する請求項１４に記載の現像装置。
【請求項１６】
前記一端側規制部材は前記一端側端部部材に設けられ、
前記一端側被規制部は前記現像枠体に設けられることを特徴とする請求項１４または１５に記載の現像装置。
【請求項１７】
前記装置本体は、前記現像剤担持体によって現像される潜像が形成される像担持体を備え、
前記一端側被位置決め部と前記他端側被位置決め部が前記装置本体に位置決めされた状態で、前記現像剤像担持体が前記像担持体に当接離間可能であることを特徴とする請求項１〜１６のいずれか一項に記載の現像装置。
【請求項１８】
前記現像装置は、前記像担持体が前記装置本体に備えられた状態で、前記装置本体に着脱可能であることを特徴とする請求項１７に記載の現像装置。
【請求項１９】
画像形成装置の装置本体に着脱可能な現像装置であって、
現像剤担持体と、
前記現像剤担持体を回転可能に支持する現像枠体と、
前記現像剤担持体の軸線方向において、前記現像枠体の一端側または他端側のいずれか一方に取り付けられ、前記現像枠体に対して回転可能な端部部材であって、前記装置本体に位置決めされる被位置決め部を有する端部部材と、
前記端部部材の回転を規制する規制部材と、
前記規制部材と係合可能な被規制部と、
を有し、
前記規制部材は、
前記被規制部と係合して前記端部部材の回転が規制される位置と、
前記被規制部との係合が解除され前記端部部材の回転が可能となる位置と、
を移動可能であることを特徴とする現像装置。
【請求項２０】
前記規制部材は前記現像枠体に設けられ、
前記被規制部は前記端部部材に設けられることを特徴とする請求項１９に記載の現像装置。
【請求項２１】
前記規制部材は、前記軸線方向に移動可能であり、
前記被規制部は、前記規制部材が嵌る溝部であることを特徴とする請求項２０に記載の現像装置。
【請求項２２】
前記規制部材と前記被規制部とが係合する方向に向かって前記規制部材を付勢する付勢部材を有することを特徴とする請求項２１に記載の現像装置。
【請求項２３】
前記規制部が、前記装置本体に設けられた係合解除部によって、前記現像装置が前記装置本体に挿入される方向とは反対の方向に押圧されることで、前記規制部材と前記被規制部との係合が解除されることを特徴とする請求項２２に記載の現像装置。
【請求項２４】
前記規制部材は前記端部部材に設けられ、
前記被規制部は前記現像枠体に設けられることを特徴とする請求項１９に記載の現像装置。
【請求項２５】
前記規制部材は、前記軸線方向と交差する方向に延びる係合回転中心軸線の周りに回転可能であることを特徴とする請求項２４に記載の現像装置。
【請求項２６】
前記規制部材と前記被規制部とが係合する方向に前記規制部材を付勢する付勢部材を有することを特徴とする請求項２５に記載の現像装置。
【請求項２７】
前記装置本体は、前記現像剤担持体によって現像される潜像が形成される像担持体を備え、
前記被位置決め部が前記装置本体に位置決めされた状態で、前記現像剤像担持体が前記像担持体に当接離間可能であることを特徴とする請求項１９〜２６のいずれか一項に記載の現像装置。
【請求項２８】
前記現像装置は、前記像担持体が前記装置本体に備えられた状態で、前記装置本体に着脱可能であることを特徴とする請求項２７に記載の現像装置。
【請求項２９】
前記現像装置は、前記装置本体に対して前記軸線方向に沿って着脱可能であることを特徴とする請求項１〜２８のいずれか一項に記載の現像装置。
【請求項３０】
請求項１〜２９のいずれか一項に記載の現像装置と、
前記装置本体と、
を有し、
前記現像装置によって記録媒体に画像を形成することを特徴とする画像形成装置。
【手続補正２】
【補正対象書類名】明細書
【補正対象項目名】０００９
【補正方法】変更
【補正の内容】
【０００９】
上記目的を達成するために、本発明である現像装置は、
画像形成装置の装置本体に着脱可能な現像装置であって、
現像剤担持体と、
前記現像剤担持体を回転可能に支持する現像枠体と、
前記現像剤担持体の軸線方向において、前記現像枠体の一端部に取り付けられた一端側端部部材であって、前記装置本体に位置決めされる一端側被位置決め部を有する一端側端部部材と、
前記軸線方向において、前記現像枠体の他端部に取り付けられた他端側端部部材であって、前記装置本体に位置決めされる他端側被位置決め部を有する他端側端部部材と、
を有し、
前記一端側端部部材は、前記現像枠体と前記他端側端部部材に対して回転可能であり、
前記他端側端部部材は、前記現像枠体と前記一端側端部部材に対して回転可能であることを特徴とする。
【手続補正３】
【補正対象書類名】明細書
【補正対象項目名】００１０
【補正方法】変更
【補正の内容】
【００１０】
また、上記目的を達成するために、本発明である現像装置は、
画像形成装置の装置本体に着脱可能な現像装置であって、
現像剤担持体と、
前記現像剤担持体を回転可能に支持する現像枠体と、
前記現像剤担持体の軸線方向において、前記現像枠体の一端側または他端側のいずれか一方に取り付けられ、前記現像枠体に対して回転可能な端部部材であって、前記装置本体に位置決めされる被位置決め部を有する端部部材と、
前記端部部材の回転を規制する規制部材と、
前記規制部材と係合可能な被規制部と、
を有し、
前記規制部材は、
前記被規制部と係合して前記端部部材の回転が規制される位置と、
前記被規制部との係合が解除され前記端部部材の回転が可能となる位置と、
を移動可能であることを特徴とする。